(57)【要約】【課題】周囲の音を正確に検知し、コンテンツを周囲の状況に応じた音量で再生する。【解決手段】デジタルサイネージ装置１０は、音声を出力する一対のスピーカ２２Ａ，２２Ｂと、一対のスピーカ２２Ａ，２２Ｂと同一の向きに向けられた第１のマイク２３と、第１のマイク２３と異なる向きに向けられた第２のマイク２４と、第１のマイク２３と第２のマイク２４とが検知した音量値の差分に基づいて、一対のスピーカ２２Ａ，２２Ｂから出力する音声の音量を調整する制御部３１と、を備える。【選択図】図３
2016178497.tif 000002
【特許請求の範囲】
【請求項１】
音声を出力する音声出力部と、
前記音声出力部と同一の向きに向けられた第１の集音部と、
前記第１の集音部と異なる向きに向けられた第２の集音部と、
前記第１の集音部と前記第２の集音部とが検知した音量値の差分に基づいて、前記音声出力部から出力する音声の音量を調整する制御部と、
を備えることを特徴とする再生装置。
【請求項２】
前記制御部は、前記第１の集音部と前記第２の集音部とが検知した音量値の差分が所定値以下の場合、前記音声出力部から出力する音声の音量を大きくすることを特徴とする請求項１に記載の再生装置。
【請求項３】
前記第１の集音部と前記第２の集音部とは、向きが９０°以上異なるように設置されていることを特徴とする請求項１又は２に記載の再生装置。
【請求項４】
前記制御部は、前記第１の集音部と前記第２の集音部とが検知した音量値の差分が所定値より大きく、且つ前記第１の集音部が検知した音量値が前記第２の集音部が検知した音量値以上の場合、前記音声出力部から出力する音声の音量を小さくすることを特徴とする請求項１〜３の何れか一項に記載の再生装置。
【請求項５】
前記制御部は、前記第１の集音部と前記第２の集音部とが検知した音量値の差分が所定値より大きく、且つ前記第１の集音部が検知した音量値が前記第２の集音部が検知した音量値より小さい場合、前記音声出力部から出力する音声の音量を大きくすることを特徴とする請求項１〜４の何れか一項に記載の再生装置。
【請求項６】
前記制御部は、前記音声出力部の出力がオンのとき、前記第１の集音部と前記第２の集音部とが検知した音量値の差分に基づいて、前記音声出力部から出力する音声の音量を調整することを特徴とする請求項１〜５の何れか一項に記載の再生装置。
【請求項７】
コンテンツ画像を表示する表示部を備えることを特徴とする請求項１〜６の何れか一項に記載の再生装置。
【請求項８】
会計処理のための操作部を備えることを特徴とする請求項１〜７の何れか一項に記載の再生装置。
【請求項９】
前記制御部は、前記操作部が操作されている間、前記音声出力部から出力する音声の音量を所定の音量に調整することを特徴とする請求項８に記載の再生装置。
【請求項１０】
コンピューターを、
音声を出力する音声出力部と同一の向きに向けられた第１の集音部と、前記第１の集音部と異なる向きに向けられた第２の集音部とが検知した音量値の差分に基づいて、前記音声出力部から出力する音声の音量を調整する制御部、
として機能させるためのプログラム。
【発明の詳細な説明】
【技術分野】
【０００１】
本発明は、再生装置及びプログラムに関する。
【背景技術】
【０００２】
近年、閲覧者に対してより印象の高い案内を行うべく、スクリーンに向けてコンテンツ映像を投影すると共にコンテンツ音声を出力する再生装置が知られている。
このような再生装置においては、設置環境に適した音量でコンテンツを再生することが望ましい。例えば、検知部により装置の設置環境の周囲の音レベルを検知し、検知結果を装置にフィードバックして、周囲の環境に応じた音量の音声を出力するように調整する技術が提案されている（例えば、特許文献１、２参照）。
【先行技術文献】
【特許文献】
【０００３】
【特許文献１】特開２００７−６０４２８号公報
【特許文献２】特開２００７−３２３４５１号公報
【発明の概要】
【発明が解決しようとする課題】
【０００４】
しかしながら、再生装置は自らも音を発するため、上記特許文献１、２の技術では、検知部による検知結果が装置自身が発する音によるものなのか、それとも周囲の環境音によるものなのか正確に区別できておらず、コンテンツを再生する音量を最適なものにするには不十分であった。
【０００５】
本発明の課題は、周囲の音を正確に検知し、コンテンツを周囲の状況に応じた音量で再生することのできる再生装置及びプログラムを提供することである。
【課題を解決するための手段】
【０００６】
上記課題を解決するため、本発明の一の態様によれば、再生装置は、音声を出力する音声出力部と、前記音声出力部と同一の向きに向けられた第１の集音部と、前記第１の集音部と異なる向きに向けられた第２の集音部と、前記第１の集音部と前記第２の集音部とが検知した音量値の差分に基づいて、前記音声出力部から出力する音声の音量を調整する制御部と、を備えることを特徴とする。
【０００７】
また、本発明の他の態様によれば、コンピューターを、音声を出力する音声出力部と同一の向きに向けられた第１の集音部と、前記第１の集音部と異なる向きに向けられた第２の集音部とが検知した音量値の差分に基づいて、前記音声出力部から出力する音声の音量を調整する制御部、として機能させるためのプログラムである。
【発明の効果】
【０００８】
本発明によれば、周囲の音を正確に検知し、コンテンツを周囲の状況に応じた音量で再生することができる。
【図面の簡単な説明】
【０００９】
【図１】本実施形態に係る再生装置の外観構成を示す斜視図である。
【図２】図１のＩＩ−ＩＩ線に沿った、再生装置に設けられた主として投影光学系の構成を例示する図である。
【図３】図１の再生装置の主制御構成を示すブロック図である。
【図４】本実施形態に係るコンテンツ音量調整処理を示すフローチャートである。
【発明を実施するための形態】
【００１０】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１１】
［デジタルサイネージ装置の構成］
図１は、本発明の実施の形態に係る再生装置としてのデジタルサイネージ装置１０の外観構成を示す斜視図である。なお、図１は、デジタルサイネージ装置１０の主として閲覧者（顧客）が存在する前面側からの外観を示すものである。
【００１２】
本実施の形態のデジタルサイネージ装置１０は、プロジェクタ技術を用いた電子マネキンとＥＣＲ（電子キャッシュレジスタ）とを兼ねたＰＯＳ端末である。
デジタルサイネージ装置１０の前面側には、スクリーンパネル（表示部）ＳＰが立設されている。
スクリーンパネルＳＰは、デジタルサイネージ装置１０に対して着脱自在に装着されるものであって、デジタルサイネージ装置１０の本来は矩形の投影可能領域内に収まるように設置された、任意形状を有する半透過板状の部材である。
【００１３】
このスクリーンパネルＳＰに対して、デジタルサイネージ装置１０の内部から透明部ＴＢ（図２参照）を介して出射される、後述するリアプロジェクション方式の投影光が背面下方側から投影されることで、画像が表示される。
【００１４】
また、スクリーンパネルＳＰの下方には、複数（例えば４個）の操作ボタン２１が備えられ、操作ボタン２１中のいずれかを閲覧者がタッチ操作した場合、デジタルサイネージ装置１０側のボード取付け基部に配列された、それぞれが指向性を有するライン状の赤外線センサアレイにより当該操作位置が検知可能となっている。
【００１５】
また、デジタルサイネージ装置１０の前面側下部には、一対のスピーカ（音声出力部）２２Ａ，２２Ｂが備えられ、一対のスピーカ２２Ａ，２２Ｂの間の中央部に、第１のマイク２３が備えられる。
また、デジタルサイネージ装置１０背面側下部には、前面側の第１のマイク２３と同様な第２のマイク２４（図２参照）が備えられる。
第１のマイク２３は、デジタルサイネージ装置１０の前面側の周囲音を集音する向きに向けられる。また、第２のマイク２４は、デジタルサイネージ装置１０の背面側の周囲音を集音する向きに向けられる。
即ち、これら第１のマイク２３及び第２のマイク２４は、互いに１８０°異なる向きに向けられ、それぞれデジタルサイネージ装置１０の前面側及び背面側における周囲音を検知するために配設されたものである。
【００１６】
なお、本実施形態においては、上記のように、第１のマイク２３と第２のマイク２４は向きが１８０°異なるように設置される構成を例示しているがが、第１のマイク２３と第２のマイク２４は、向きが９０°以上異なるように設置されていれば良い。
また、第１のマイク２３及び第２のマイク２４としては、上記のように、ある範囲内の音を集音可能な２つのマイクを逆向きに設置しても良いし、全方位の音を集音可能な２つのマイクの境界に防音壁を設けることで、ある範囲内の音を集音可能な２つのマイクを逆向きに設置した場合と同様の機能を持たせることとしても良い。
【００１７】
また、デジタルサイネージ装置１０の背面側には、会計処理のためのタッチパネル（操作部）２５とキーボード（操作部）２６とが備えられる。
そして、デジタルサイネージ装置１０は、内部に現金を保管するキャッシュドロア１１上に、一体にして載置されている。
【００１８】
図２は、図１のＩＩ−ＩＩ線に沿った、デジタルサイネージ装置１０に設けられた主として投影光学系の構成を例示する図である。
【００１９】
図２に示すように、デジタルサイネージ装置１０の内部には、投影光ＬＦを生成してスクリーンパネルＳＰの背面側に投射する投影部３０が、スクリーンパネルＳＰの背面側の下方に位置するように設けられている。
投影部３０から斜め下後方に向けて出射した投影光ＬＦは、凹曲面状の第１の全反射ミラー２７で後上方に反射された後に、透明部ＴＢを介して、デジタルサイネージ装置１０に衝立状に立設された第２の全反射ミラー２８でさらに反射された後、スクリーンパネルＳＰの背面側に投射される。
【００２０】
スクリーンパネルＳＰは、背面側のフレネルレンズと前面側の拡散透過板の２層が一体化した板状部材で構成され、背面側で斜め下方から投射された投影光ＬＦが上記フレネルレンズによりデジタルサイネージ装置１０の設置面と平行な光束に偏向される。このフレネルレンズにより偏向された投影光ＬＦが、スクリーンパネルＳＰ前面側の、半透明で乳白色状の拡散性を有する拡散透過板に投影されることで、デジタルサイネージ装置１０の前方に位置する顧客に対して光像が表示される。
【００２１】
図３は、デジタルサイネージ装置１０の主制御構成を示すブロック図である。
図３に示すブロック図を参照しながら、本実施の形態のデジタルサイネージ装置１０の主な構成について、さらに説明する。
【００２２】
投影部３０は、制御部３１と、プロジェクタ３２と、記憶部３３と、通信部３４と、を主に備えており、プロジェクタ３２、記憶部３３、通信部３４は、各々制御部３１に接続されている。また、制御部３１には、操作ボタン２１、一対のスピーカ２２Ａ，２２Ｂ、第１のマイク２３、第２のマイク２４、タッチパネル２５、及びキーボード２６が接続されている。
【００２３】
制御部３１は、記憶部３３に記億されている各種のプログラムを実行して所定の演算や各部の制御を行うＣＰＵ（Central Processing Unit）とプログラム実行時の作業領域となるメモリとを備えている（いずれも図示略）。
そして、制御部３１は、記憶部３３のプログラム記憶部３３１に記憶されているプログラムとの協働により、後述するコンテンツ音量調整処理を実行する。
【００２４】
プロジェクタ３２は、制御部３１から出力された各種データ（動画像データ、静止画像データなど）を投影光に変換してスクリーンパネルＳＰに向けて照射する投影装置である。
例えば、プロジェクタ３２としては、アレイ状に配列された複数個（ＸＧＡの場合、横１０２４画素×縦７６８画素)の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）（登録商標）プロジェクタが適用可能である。
【００２５】
記憶部３３は、ＨＤＤや不揮発性の半導体メモリ等により構成されており、プログラム記憶部３３１、データ記憶部３３２等が設けられている。
例えば、プログラム記憶部３３１には、制御部３１で実行されるシステムプログラムや各種処理プログラム、これらのプログラムの実行に必要なデータ等が記憶されている。
また、データ記憶部３３２には、コンテンツ再生時において表示対象となる動画像データ、静止画像データ、コンテンツの音声出力用の音声データなどが記憶されている。
【００２６】
通信部３４は、外部の情報端末などとの通信を可能とし、データ送受信などを行う。
具体的な通信方式は特に限定されるものではなく、例えば、無線ＬＡＮ、Bluetooth（登録商標）、ＮＦＣ等による無線通信であってもよいし、例えば、ＵＳＢケーブル等を用いた有線通信であってもよい。
また、通信部３４は、例えば、スクリーンパネルＳＰに映し出す新しいコンテンツなどのデータをデータ記憶部３３２に取り込む際にも利用される。
【００２７】
［デジタルサイネージ装置１０の動作］
次に、デジタルサイネージ装置１０の動作について説明する。
【００２８】
図４は、デジタルサイネージ装置１０によるコンテンツ音量調整処理を示すフローチャートである。
【００２９】
先ず、制御部３１は、デジタルサイネージ装置１０の会計処理のためのタッチパネル２５やキーボード２６が操作中であるか否かを判断する（ステップＳ１）。
【００３０】
そして、タッチパネル２５やキーボード２６が操作中の場合（ステップＳ１：ＹＥＳ）、制御部３１は、コンテンツの再生音量を予め設定された所定の音量に調整し（ステップＳ２）、本処理を終了する。
【００３１】
ここで、「タッチパネル２５やキーボード２６が操作中」の場合、制御部３１は、デジタルサイネージ装置１０の前面側に閲覧者がおり、背面側に店員や説明員がいる状況と判断し、コンテンツの再生音量を、デジタルサイネージ装置１０近傍の閲覧者にとって適切となる予め設定された所定の音量に調整している。
【００３２】
次いで、制御部３１は、一対のスピーカ２２Ａ，２２Ｂが出力中か否か、即ち、一対のスピーカ２２Ａ，２２Ｂがオン（出力中）か否かを判断し、オンでない場合（ステップＳ３：ＮＯ）、後述のステップＳ５に移行する。
【００３３】
一方、一対のスピーカ２２Ａ，２２Ｂがオンの場合（ステップＳ３：ＹＥＳ）、制御部３１は、第２のマイク２４が検知する音量値に一対のスピーカ２２Ａ，２２Ｂが出力する音量値が加算されるように、第２のマイク２４の設定を行う（ステップＳ４）。
かかる処理は、第１のマイク２３及び第２のマイク２４は異なる向きに設置され、異なる範囲の集音を行うため、前面側に設置された第１のマイク２３のみがスピーカ２２Ａ，２２Ｂの出力を検知することで、スピーカ２２Ａ，２２Ｂがオンの場合とオフの場合とで、後述のステップＳ６で２つのマイクの検知結果の差分を演算する際にその結果が異なるのを防ぐために行われる。
【００３４】
次いで、制御部３１は、第１のマイク２３及び第２のマイク２４の検知結果を取得する（ステップＳ５）。即ち、制御部３１は、デジタルサイネージ装置１０の前面側及び背面側における周囲音の大きさを検知する。
なお、以下の説明において、デジタルサイネージ装置１０の前面側の第１のマイク２３の周囲音レベル（音量値）をＡ、デジタルサイネージ装置１０の背面側の第２のマイク２４の周囲音レベル（音量値）をＢとする。
【００３５】
次いで、制御部３１は、第１のマイク２３及び第２のマイク２４の検知結果の差分（Ａ−Ｂ）を演算し、差分が予め設定された所定値以下か否かを判断する（ステップＳ６）。
【００３６】
そして、差分が予め設定された所定値以下の場合（ステップＳ２：ＹＥＳ）、制御部３１は、コンテンツの再生音量を大きくし（ステップＳ７）、後述のステップＳ１１に移行する。
【００３７】
ここで、「差分が予め設定された所定値以下」の場合、制御部３１は、例えば、デジタルサイネージ装置１０の周囲（前面側及び背面側）に誰もいない状況と判断する。即ち、制御部３１は、デジタルサイネージ装置１０に対して閲覧者の距離が遠いと判断し、コンテンツの再生音量を大きくしている。
【００３８】
一方、差分が予め設定された所定値より大きい場合（ステップＳ６：ＮＯ）、制御部３１は、第１のマイク２３の周囲音レベル（Ａ）が第２のマイク２４の周囲音レベル（Ｂ）以上か否かを判断する（ステップＳ８）。
【００３９】
そして、第１のマイク２３の周囲音レベル（Ａ）が第２のマイク２４の周囲音レベル（Ｂ）以上の場合（ステップＳ８：ＹＥＳ）、制御部３１は、コンテンツの再生音量を小さくし（ステップＳ９）、後述のステップＳ１１に移行する。
【００４０】
ここで、「差分が予め設定された所定値より大きく且つ第１のマイク２３の周囲音レベル（Ａ）が第２のマイク２４の周囲音レベル（Ｂ）以上」の場合、制御部３１は、例えば、デジタルサイネージ装置１０の前面側にのみ人（閲覧者）がいる状況と判断する。そこで、制御部３１は、デジタルサイネージ装置１０に対して閲覧者の距離が近いと判断し、コンテンツの再生音量を小さくしている。
【００４１】
一方、第１のマイク２３の周囲音レベル（Ａ）が第２のマイク２４の周囲音レベル（Ｂ）より小さい場合（ステップＳ８：ＮＯ）、制御部３１は、コンテンツの再生音量を大きくし（ステップＳ１０）、後述のステップＳ１１に移行する。
【００４２】
ここで、「差分が予め設定された所定値より大きく且つ第１のマイク２３の周囲音レベル（Ａ）が第２のマイク２４の周囲音レベル（Ｂ）より小さい」の場合、制御部３１は、例えば、デジタルサイネージ装置１０の背面側にのみ人（店員や説明員）がいる状況と判断する。そこで、制御部３１は、デジタルサイネージ装置１０に対して閲覧者の距離は遠いと判断し、コンテンツの再生音量を大きくしている。
【００４３】
次いで、制御部３１は、引き続き処理を行うか否かを判断し（ステップＳ１１）、引き続き処理を行う場合（ステップＳ１１：ＹＥＳ）、上記ステップＳ１に戻って以降の処理を繰り返す。
一方、引き続き処理を行わない場合（ステップＳ１１：ＮＯ）、本処理を終了する。
【００４４】
以上のように、本実施形態のデジタルサイネージ装置１０によれば、音声を出力する一対のスピーカ２２Ａ，２２Ｂと、一対のスピーカ２２Ａ，２２Ｂと同一の向きに向けられた第１のマイク２３と、第１のマイク２３と異なる向きに向けられた第２のマイク２４と、第１のマイク２３と第２のマイク２４とが検知した音量値の差分に基づいて、一対のスピーカ２２Ａ，２２Ｂから出力する音声の音量を調整する制御部３１と、を備える。
このため、再生するコンテンツの音量を、周囲の音を基準に調整することができる。よって、周囲の音の音量を正確に検知し、コンテンツを周囲の状況に応じた音量で再生することができる。
【００４５】
また、本実施形態のデジタルサイネージ装置１０によれば、制御部３１は、第１のマイク２３と第２のマイク２４とが検知した音量値の差分が所定値以下の場合、一対のスピーカ２２Ａ，２２Ｂから出力する音声の音量を大きくする。
このため、デジタルサイネージ装置１０の周囲に閲覧者がいない場合を想定し、一対のスピーカ２２Ａ，２２Ｂから出力する音声の音量を大きくすることができる。
【００４６】
また、本実施形態のデジタルサイネージ装置１０によれば、第１のマイク２３と第２のマイク２４とは、向きが９０°以上異なるように設置されている。望ましくは１８０°向きが異なるように設置されている。
このため、デジタルサイネージ装置１０の前面側及び背面側における周囲音を検知して、一対のスピーカ２２Ａ，２２Ｂから出力する音声の音量を調整することができる。
【００４７】
また、本実施形態のデジタルサイネージ装置１０によれば、制御部３１は、第１のマイク２３と第２のマイク２４とが検知した音量値の差分が所定値より大きく、且つ第１のマイク２３が検知した音量値が第２のマイク２４が検知した音量値以上の場合、一対のスピーカ２２Ａ，２２Ｂから出力する音声の音量を小さくする。
このため、デジタルサイネージ装置１０の周囲（前面側）に閲覧者がいる場合を想定し、一対のスピーカ２２Ａ，２２Ｂから出力する音声の音量を小さくすることができる。
【００４８】
また、本実施形態のデジタルサイネージ装置１０によれば、制御部３１は、第１のマイク２３と第２のマイク２４とが検知した音量値の差分が所定値より大きく、且つ、第１のマイク２３が検知した音量値が第２のマイク２４が検知した音量値より小さい場合、一対のスピーカ２２Ａ，２２Ｂから出力する音声の音量を大きくする。
このため、デジタルサイネージ装置１０の周囲（前面側）に閲覧者がおらず、デジタルサイネージ装置１０の周囲（背面側）に店員等がいる場合を想定し、一対のスピーカ２２Ａ，２２Ｂから出力する音声の音量を大きくすることができる。
【００４９】
また、本実施形態のデジタルサイネージ装置１０によれば、制御部３１は、一対のスピーカ２２Ａ，２２Ｂの出力がオンのとき、第１のマイク２３と第２のマイク２４とが検知した音量値の差分に基づいて、一対のスピーカ２２Ａ，２２Ｂから出力する音声の音量を調整する。
このため、一対のスピーカ２２Ａ，２２Ｂから出力される音声を、リアルタイムで適切な音量に調整することができる。よって、音量調整のために一対のスピーカ２２Ａ，２２Ｂを停止しなくても良く、利便性が良い。
【００５０】
また、本実施形態のデジタルサイネージ装置１０は、コンテンツ画像を表示するスクリーンパネルＳＰを備える。
このため、音声と共に画像を出力することができ、閲覧者により印象付けた宣伝を行うことができる。
【００５１】
また、本実施形態のデジタルサイネージ装置１０は、会計処理のためのタッチパネル２５とキーボード２６備える。
このため、店舗のレジ近傍で宣伝を行うことができる。
【００５２】
また、本実施形態のデジタルサイネージ装置１０によれば、制御部３１は、タッチパネル２５やキーボード２６が操作されている間、一対のスピーカ２２Ａ，２２Ｂから出力する音声の音量を所定の音量に調整する。
このため、デジタルサイネージ装置１０にて会計処理が行われている間、デジタルサイネージ装置１０の周囲に確実に閲覧者（及び店員等）がいると想定して、一対のスピーカ２２Ａ，２２Ｂから出力する音声の音量を所定の音量（例えば最低限の音量）に調整することができる。
【００５３】
また、上記実施形態においては、第１のマイク２３と第２のマイク２４の差分が所定値より大きい場合に、第１のマイク２３と第２のマイク２４の何れの音量値が大きいかに基づいてどちらかの音量を調整する構成を例示して説明したが、差分の大きさに基づいて、更に複数段階に音量を調整する制御を行うこととしても良い。
【００５４】
また、上記実施形態においては、デジタルサイネージ装置１０が会計処理を行う所謂レジサイネージ装置である場合を例示して説明したが、デジタルサイネージ装置１０は、会計処理を行う機能を有さない通常のサイネージ装置であっても良い。
【００５５】
また、上記実施形態においては、一対のスピーカ２２Ａ，２２Ｂが備えられ、その一対のスピーカ２２Ａ，２２Ｂの間の中央部に、第１のマイク２３が備えられる構成を例示して説明したが、スピーカの数は１つでも３つ以上であっても良いのは勿論である。
また、上記実施形態においては、スクリーンパネルＳＰに画像が表示される構成を例示して説明したが、本発明を適用可能な再生装置としては、少なくとも音声が出力されれば良く、スクリーンパネルＳＰを備えない構成であっても良い。
【００５６】
また、上記実施形態においては、一対のスピーカ２２Ａ，２２Ｂがオンの時（図４：ステップＳ３、ＹＥＳ）に、第２のマイク２４の設定を行う（図４：ステップＳ４）構成を例示して説明したが、第２のマイク２４の設定を行う代わりに、一対のスピーカ２２Ａ，２２Ｂがオンの時とオフの時とで、第１のマイク２３と第２のマイク２４の差分の所定値を変更することとしても良い。
【００５７】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００５８】
〔付記〕
＜請求項１＞
音声を出力する音声出力部と、
前記音声出力部と同一の向きに向けられた第１の集音部と、
前記第１の集音部と異なる向きに向けられた第２の集音部と、
前記第１の集音部と前記第２の集音部とが検知した音量値の差分に基づいて、前記音声出力部から出力する音声の音量を調整する制御部と、
を備えることを特徴とする再生装置。
＜請求項２＞
前記制御部は、前記第１の集音部と前記第２の集音部とが検知した音量値の差分が所定値以下の場合、前記音声出力部から出力する音声の音量を大きくすることを特徴とする請求項１に記載の再生装置。
＜請求項３＞
前記第１の集音部と前記第２の集音部とは、向きが９０°以上異なるように設置されていることを特徴とする請求項１又は２に記載の再生装置。
＜請求項４＞
前記制御部は、前記第１の集音部と前記第２の集音部とが検知した音量値の差分が所定値より大きく、且つ前記第１の集音部が検知した音量値が前記第２の集音部が検知した音量値以上の場合、前記音声出力部から出力する音声の音量を小さくすることを特徴とする請求項１〜３の何れか一項に記載の再生装置。
＜請求項５＞
前記制御部は、前記第１の集音部と前記第２の集音部とが検知した音量値の差分が所定値より大きく、且つ前記第１の集音部が検知した音量値が前記第２の集音部が検知した音量値より小さい場合、前記音声出力部から出力する音声の音量を大きくすることを特徴とする請求項１〜４の何れか一項に記載の再生装置。
＜請求項６＞
前記制御部は、前記音声出力部の出力がオンのとき、前記第１の集音部と前記第２の集音部とが検知した音量値の差分に基づいて、前記音声出力部から出力する音声の音量を調整することを特徴とする請求項１〜５の何れか一項に記載の再生装置。
＜請求項７＞
コンテンツ画像を表示する表示部を備えることを特徴とする請求項１〜６の何れか一項に記載の再生装置。
＜請求項８＞
会計処理のための操作部を備えることを特徴とする請求項１〜７の何れか一項に記載の再生装置。
＜請求項９＞
前記制御部は、前記操作部が操作されている間、前記音声出力部から出力する音声の音量を所定の音量に調整することを特徴とする請求項８に記載の再生装置。
＜請求項１０＞
コンピューターを、
音声を出力する音声出力部と同一の向きに向けられた第１の集音部と、前記第１の集音部と異なる向きに向けられた第２の集音部とが検知した音量値の差分に基づいて、前記音声出力部から出力する音声の音量を調整する制御部、
として機能させるためのプログラム。
【符号の説明】
【００５９】
１０  デジタルサイネージ装置（再生装置）
１１  キャッシュドロア
２１  操作ボタン
２２Ａ，２２Ｂ  スピーカ（音声出力部）
２３  第１のマイク（第１の集音部）
２４  第２のマイク（第２の集音部）
２５  タッチパネル（操作部）
２６  キーボード（操作部）
ＳＰ  スクリーンパネル（表示部）
２７  第１の全反射ミラー
２８  第２の全反射ミラー
ＴＢ  透明部
３０  投影部
３１  制御部
３２  プロジェクタ
３３  記憶部
３３１  プログラム記憶部
３３２  データ記憶部
３４  通信部
【図１】
2016178497.tif 000003
【図２】
2016178497.tif 000004
【図３】
2016178497.tif 000005
【図４】
2016178497.tif 000006